(57)【要約】【課題】観察者に良好な立体画像を提供することが可能な画像表示装置を提供する。【解決手段】画像表示装置１は、画像を表示するための画素開口部２１ａ〜２３ａと、画素開口部２１ａ〜２３ａ以外の部分に設けられる遮光部２４とを有する複数の画素２１〜２３を含む表示パネル２０を備えている。また、表示パネル２０の画素開口部２１ａ〜２３ａから出射された光を、観察者８０の右目８０ａに向かう光と左目８０ｂに向かう光とに分離することが可能な位相差板５０および偏光制御液晶パネル６０を備えている。また、位相差板５０の透過部中心位置Ｃ３および偏光制御液晶パネル６０の透過部中心位置Ｃ８は、表示パネル２０の画素２１〜２３の画素中心位置Ｃ１とは異なる位置に位置する画素開口部２１ａ〜２３ａの画素開口部中心位置Ｃ２に実質的に対応するように設けられている。【選択図】図６
2007108501.tif 000002
【特許請求の範囲】
【請求項１】
観察者に立体画像を提供する画像表示装置であって、
画像を表示するための画素開口部と前記画素開口部以外の部分に設けられる遮光部とを有する複数の画素を含む表示パネルと、
前記表示パネルの画素開口部から出射された光を、観察者の右目に向かう光と左目に向かう光とに分離することが可能な透過部を有する分離手段とを備え、
前記分離手段の透過部の中心位置は、前記表示パネルの画素の中心位置とは異なる位置に存在する前記画素開口部の中心位置に実質的に対応するように設けられている、画像表示装置。
【請求項２】
前記分離手段の透過部は、前記表示パネルの画素開口部の中心位置および前記分離手段の透過部の中心位置を通過する光を、観察中心に位置する前記観察者の目に進行させる位置に設けられている、請求項１に記載の画像表示装置。
【請求項３】
前記分離手段は、位相差板を含み、
前記表示パネルの所定の基準辺を第１の方向に配置した状態で、前記表示パネルの画素開口部の中心位置が、前記表示パネルの画素の中心位置から前記第１の方向に第１の距離だけ隔てた位置に存在する場合に、
前記位相差板は、前記位相差板の前記第１の方向の中心位置が、前記表示パネルの前記第１の方向の中心位置から前記第１の方向に前記第１の距離だけ隔てた位置と実質的に一致するように配置されている、請求項１または２に記載の画像表示装置。
【請求項４】
前記第１の距離をΔＬ１とすると、
前記第１の距離ΔＬ１は、前記表示パネルの画素開口部の一方端側から前記第１の方向の一方側に延びる遮光部の幅Ｗ１と、前記表示パネルの画素開口部の他方端側から前記第１の方向の他方側に延びる遮光部の幅Ｗ２とにより、以下の式（１）を満たすように設定されている、請求項３に記載の画像表示装置。
ΔＬ１＝（Ｗ１／２）−（Ｗ２／２）・・・（１）
【請求項５】
前記表示パネルの所定の基準辺を第１の方向に配置した状態で、前記表示パネルの画素開口部の中心位置が、前記表示パネルの画素の中心位置から前記第１の方向に交差する前記第２の方向に第２の距離だけ隔てた位置に存在する場合に、
前記位相差板は、前記位相差板の前記第２の方向の中心位置が、前記表示パネルの前記第２の方向の中心位置から前記第２の方向に前記第２の距離だけ隔てた位置と実質的に一致するように配置されている、請求項３または４に記載の画像表示装置。
【請求項６】
前記第２の距離をΔＬ２とすると、
前記第２の距離ΔＬ２は、前記表示パネルの画素開口部の一方端側から前記第２の方向の一方側に延びる遮光部の幅Ｗ３と、前記表示パネルの画素開口部の他方端側から前記第２の方向の他方側に延びる遮光部の幅Ｗ４とにより、以下の式（２）を満たすように設定されている、請求項５に記載の画像表示装置。
ΔＬ２＝（Ｗ３／２）−（Ｗ４／２）・・・（２）
【請求項７】
前記表示パネルの所定の基準辺を前記第１の方向に配置した状態では、前記位相差板の透過部は、前記第１の方向と前記第１の方向に交差する第２の方向との両方に交差する第３の方向に沿って延びるように設けられるとともに、前記表示パネルには、前記第３の方向に沿って延びるように右目用画像および左目用画像が表示されている、請求項３〜６のいずれか１項に記載の画像表示装置。
【請求項８】
前記分離手段は、偏光制御液晶パネルをさらに含み、
前記表示パネルの所定の基準辺を前記第１の方向と交差する第２の方向に配置した状態で、前記表示パネルの画素開口部の中心位置が、前記表示パネルの画素の中心位置から前記第２の方向に第１の距離だけ隔てた位置に存在する場合に、
前記偏光制御液晶パネルは、前記偏光制御液晶パネルの前記第２の方向の中心位置が、前記表示パネルの前記第２の方向の中心位置から前記第２の方向に前記第１の距離だけ隔てた位置と実質的に一致するように配置されている、請求項３〜７のいずれか１項に記載の画像表示装置。
【請求項９】
前記第１の距離をΔＬ１とすると、
前記第１の距離ΔＬ１は、前記表示パネルの画素開口部の一方端側から前記第２の方向の一方側に延びる遮光部の幅Ｗ１と、前記表示パネルの画素開口部の他方端側から前記第２の方向の他方側に延びる遮光部の幅Ｗ２とにより、以下の式（１）を満たすように設定されている、請求項８に記載の画像表示装置。
ΔＬ１＝（Ｗ１／２）−（Ｗ２／２）・・・（１）
【請求項１０】
前記偏光制御液晶パネルには、第１電極および第２電極が設けられており、
前記偏光制御液晶パネルは、
前記第１電極および前記第２電極に電圧を印加しないことにより、前記第１電極および前記第２電極が設けられる位置に対応する領域を前記透過部にする第１状態と、
前記第１電極に電圧を印加しないとともに、前記第２電極に電圧を印加することにより、少なくとも前記第２電極が設けられる位置に対応する領域を前記透過部にする第２状態とに切り替えることが可能であり、
前記偏光制御液晶パネルを前記第１状態に制御することにより、前記表示パネルの所定の基準辺を前記第１の方向に配置した状態で、前記観察者に立体画像を提供するとともに、前記偏光制御液晶パネルを前記第２状態に制御することにより、前記表示パネルの所定の基準辺を前記第２の方向に配置した状態で、前記観察者に立体画像を提供する、請求項８または９に記載の画像表示装置。
【請求項１１】
前記偏光制御液晶パネルは、
前記第１電極および前記第２電極に電圧を印加することにより前記第１電極および前記第２電極が設けられる位置に対応する領域を前記透過部にする第３状態に切り替えることがさらに可能であり、
前記偏光制御液晶パネルを前記第３状態に制御することにより、前記表示パネルの所定の基準辺を前記第１の方向および前記第２の方向に配置した状態で、前記観察者に平面画像を提供する、請求項１０に記載の画像表示装置。
【請求項１２】
前記表示パネルに光を照射するための光源をさらに備える、請求項１〜１１のいずれか１項に記載の画像表示装置。
【発明の詳細な説明】
【技術分野】
【０００１】
この発明は、画像表示装置に関し、特に、画像を表示するための画素開口部と遮光部とを有する画素を含む表示パネルを用いて観察者に立体画像を提供する画像表示装置に関する。
【背景技術】
【０００２】
従来、画像を表示するための画素開口部と、その画素開口部以外の部分に設けられる遮光部とを有する画素を含む表示パネルが知られている（たとえば、特許文献１参照）。この特許文献１には、赤（Ｒ）、緑（Ｇ）および青（Ｂ）の内のいずれかを表示する画素開口部と、画素開口部以外の領域に設けられる遮光膜（遮光部）とを有する短形状の画素を含む液晶表示素子（表示パネル）が開示されている。そして、短形状の画素の四隅のいずれかの位置には、ＴＦＴ（薄膜トランジスタ）が設けられており、そのＴＦＴが形成される領域は、上記した遮光膜により覆われている。つまり、短形状の画素の四隅のいずれかの位置にＴＦＴが形成されているので、画素の各色を表示する画素開口部の中心位置は、ＴＦＴが形成される分だけ、画素の中心位置とは異なる位置となる。
【０００３】
そして、従来、上記特許文献１に開示されたような表示パネルを用いて、観察者に立体画像を提供する画像表示装置が知られている。図１８は、画素開口部の中心位置と画素の中心位置とが異なる表示パネルを用いた従来の一例による画像表示装置を観察者が見た状態を上方から示した図である。図１９は、図１８に示した従来の一例による画像表示装置の表示パネルおよびバリアを示した平面図であり、図２０は、図１８に示した従来の一例による画像表示装置の表示パネル、バリアおよび観察者の位置関係を示した図である。図１８〜図２０を参照して、従来の一例による画像表示装置１００の構成について説明する。この画像表示装置１００では、液晶表示素子（表示パネル）の短形状の画素の長手方向が、観察者の右目および左目を結んだ線分の方向となるように配置された表示パネルを用いた例について説明する。
【０００４】
従来の画像表示装置１００は、図１８に示すように、画像を表示するための表示パネル１１０と、表示パネル１１０に光を照射するためのバックライト１２０と、表示パネル１１０を挟み込むように配置された２枚の偏光板１３０および１４０と、偏光板１４０の観察者１６０側に設けられたバリア１５０とを備えている。
【０００５】
また、表示パネル１１０は、図１９に示すように、赤（Ｒ）、緑（Ｇ）および青（Ａ）の各色を表示するための画素開口部１１１ａと、画素開口部１１１ａ以外の部分に設けられる遮光部１１１ｂとを有する複数の画素１１１を含んでいる。そして、画素１１１の画素開口部１１１ａには、観察者１６０の右目１６０ａおよび左目１６０ｂを結んだ方向（Ｘ方向（水平方向））と直交する方向（Ｙ方向（垂直方向））に沿って延びるように、右目用画像Ｒ１０および左目用画像Ｌ１０が表示されている。また、画素開口部１１１ａに表示される右目用画像Ｒ１０および左目用画像Ｌ１０は、図１９のＸ方向に沿って交互に表示されている。また、画素１１１の遮光部１１１ｂは、図２０に示すように、画素開口部１１１ａの一方端（Ｘ１１方向側）からＸ１１方向に延びる遮光領域１１１ｃと、画素開口部１１１ａの他方端（Ｘ１２方向側）からＸ１２方向に延びる遮光領域１１１ｄとを含んでいる。そして、遮光領域１１１ｃは、能動素子となるＴＦＴ１１２を覆うために設けられており、遮光領域１１１ｄのＸ方向の幅Ｗ１２より大きい、Ｘ方向の幅Ｗ１１を有している。このため、画素１１１の中心位置（画素中心位置）Ｃ１１は、画素開口部１１１ａの中心位置（画素開口部中心位置）Ｃ１２とは異なる位置となる。
【０００６】
バリア１５０は、図１８に示すように、表示パネル１１０の画素開口部１１１ａから出射された光を遮光するための遮光部１５０ａと、光を透過させるための開口部１５０ｂとを含んでいる。この遮光部１５０ａおよび開口部１５０ｂは、表示パネル１１０の画素開口部１１１ａに表示される右目用画像Ｒ１０および左目用画像Ｌ１０と同様に、観察者１６０の右目１６０ａおよび左目１６０ｂを結んだ方向（Ｘ方向）に対して直交する方向（Ｙ方向（図１９参照））に延びるように設けられている。そして、バリア１５０のＸ方向の中心位置（バリア中心位置）Ｃ１３が、表示パネル１１０のＸ方向の中心位置（表示パネル中心位置）Ｃ１４に実質的に一致するように配置されている。これにより、図２０に示すように、観察中心に位置する観察者１６０の右目１６０ａとバリア１５０の開口部１５０ｂの中心位置（バリア開口部中心位置）Ｃ１５とを結んだ線上に、右目用画像Ｒ１０が表示される画素１１１の画素中心位置Ｃ１１が位置するとともに、観察者１６０の左目１６０ｂとバリア１５０の開口部１５０ｂのバリア開口部中心位置Ｃ１５とを結んだ線上に、左目用画像Ｌ１０が表示される画素１１１の画素中心位置Ｃ１１が位置する。
【０００７】
そして、図２０に示すように、観察者１６０がバリア１５０の開口部１５０ｂを介して表示パネル１１０を観察することにより、観察者１６０の右目１６０ａには、表示パネル１１０の画素１１１の画素開口部１１１ａに表示されている右目用画像Ｒ１０が入射されるとともに、観察者１６０の左目１６０ｂには、表示パネル１１０の画素１１１の画素開口部１１１ａに表示されている左目用画像Ｌ１０が入射される。このため、観察者１６０が、立体画像を観察することが可能となる。この際、観察者１６０の右目１６０ａは、バリア１５０の開口部１５０ｂのバリア開口部中心位置Ｃ１５を介して、右目用画像Ｒ１０が表示される画素１１１の画素中心位置Ｃ１１を観察することになる。また、観察者１６０の左目１６０ｂは、バリア１５０の開口部１５０ｂのバリア開口部中心位置Ｃ１５を介して、左目用画像Ｌ１０が表示される画素１１１の画素中心位置Ｃ１１を観察することになる。
【０００８】
【特許文献１】特開２００５−１７４９４号公報
【発明の開示】
【発明が解決しようとする課題】
【０００９】
しかしながら、従来の画像表示装置１００では、図２０に示したように、観察者１６０の右目１６０ａおよび左目１６０ｂは、画像（赤（Ｒ）、緑（Ｇ）、青（Ａ））が表示される表示パネル１１０の画素開口部１１１ａの画素開口部中心位置Ｃ１２とは異なる画素１１１の画素中心位置Ｃ１１を観察するため、表示パネル１１０に表示される画像が見ずらくなるという不都合があった。そのため、表示パネル１１０に表示される画像を良好に観察するためには、図１８に示すように、バリア１５０のバリア中心位置Ｃ１３に対応する観察中心に位置する観察者１６０がＸ方向に移動する必要があった。その結果、画素１１１の画素中心位置Ｃ１１と、画素開口部１０１ａの画素開口部中心位置Ｃ１２とが異なる表示パネル１１０を用いた画像表示装置１００では、バリア１５０のバリア中心位置Ｃ１３に対応する観察中心に位置する観察者１６０に良好な立体画像を提供するのが困難であるという問題点があった。
【００１０】
この発明は、上記のような課題を解決するためになされたものであり、この発明の１つの目的は、観察者に良好な立体画像を提供することが可能な画像表示装置を提供することである。
【課題を解決するための手段および発明の効果】
【００１１】
上記目的を達成するために、この発明の一の局面による画像表示装置は、観察者に立体画像を提供する画像表示装置であって、画像を表示するための画素開口部と画素開口部以外の部分に設けられる遮光部とを有する複数の画素を含む表示パネルと、表示パネルの画素開口部から出射された光を、観察者の右目に向かう光と左目に向かう光とに分離することが可能な透過部を有する分離手段とを備え、分離手段の透過部の中心位置は、表示パネルの画素の中心位置とは異なる位置に存在する画素開口部の中心位置に実質的に対応するように設けられている。
【００１２】
この一の局面による画像表示装置では、上記のように、分離手段の透過部の中心位置を、表示パネルの画素の中心位置とは異なる位置に存在する画素開口部の中心位置に実質的に対応するように設けることによって、表示パネルの画像が表示される画素開口部の中心位置から出射された光を、分離手段の透過部の中心位置を介して、観察者の右目および左目に向かって進行させることができる。すなわち、観察者の右目および左目は、分離手段の透過部の中心位置を介して、表示パネルの画像が表示される画素開口部の中心位置を観察することができる。その結果、観察者の右目および左目は、共に、表示パネルの画素開口部に表示される画像の中心部周辺を観察することができるので、観察者に良好な立体画像を提供することができる。
【００１３】
上記一の局面による画像表示装置において、好ましくは、分離手段の透過部は、表示パネルの画素開口部の中心位置および分離手段の透過部の中心位置を通過する光を、観察中心に位置する観察者の目に進行させる位置に設けられている。このように構成すれば、画像が表示される画素開口部の中心位置を出射した光が、分離手段の透過部の中心位置を介して、観察中心に位置する観察者の右目および左目に入射するので、観察中心に位置する観察者は、良好な立体画像を観察することができる。
【００１４】
上記一の局面による画像表示装置において、好ましくは、分離手段は、位相差板を含み、表示パネルの所定の基準辺を第１の方向に配置した状態で、表示パネルの画素開口部の中心位置が、表示パネルの画素の中心位置から第１の方向に第１の距離だけ隔てた位置に存在する場合に、位相差板は、位相差板の第１の方向の中心位置が、表示パネルの第１の方向の中心位置から第１の方向に第１の距離だけ隔てた位置と実質的に一致するように配置されている。このように構成すれば、表示パネルの第１の方向の中心位置と、位相差板の第１の方向の中心位置とが実質的に一致した状態から、位相差板を第１の方向に第１の距離だけ移動することにより、容易に、表示パネルの画素開口部の第１の方向の中心位置と、位相差板の透過部の第１の方向の中心位置とが対応するように配置することができる。その結果、容易に、観察者に良好な立体画像を提供することができる。
【００１５】
この場合、好ましくは、第１の距離をΔＬ１とすると、第１の距離ΔＬ１は、表示パネルの画素開口部の一方端側から第１の方向の一方側に延びる遮光部の幅Ｗ１と、表示パネルの画素開口部の他方端側から第１の方向の他方側に延びる遮光部の幅Ｗ２とにより、以下の式（１）を満たすように設定されている。このように構成すれば、表示パネルに形成される遮光部の第１の方向の一方側の幅Ｗ１と、他方側の幅Ｗ２とに基づいて、容易に、第１の距離ΔＬ１を算出することができる。その結果、容易に、表示パネルの画素開口部の中心位置と、位相差板の透過部の中心位置とが対応するように配置することができる。
ΔＬ１＝（Ｗ１／２）−（Ｗ２／２）・・・（１）
【００１６】
上記位相差板を備えた画像表示装置において、好ましくは、表示パネルの所定の基準辺を第１の方向に配置した状態で、表示パネルの画素開口部の中心位置が、表示パネルの画素の中心位置から第１の方向に交差する第２の方向に第２の距離だけ隔てた位置に存在する場合に、位相差板は、位相差板の第２の方向の中心位置が、表示パネルの第２の方向の中心位置から第２の方向に第２の距離だけ隔てた位置と実質的に一致するように配置されている。このように構成すれば、表示パネルの第２の方向の中心位置と、位相差板の第２の方向の中心位置とが実質的に一致した状態から、位相差板を第２の方向に第２の距離だけ移動することにより、容易に、表示パネルの画素開口部の第２の方向の中心位置と、位相差板の透過部の第２の方向の中心位置とが対応するように配置することができる。その結果、容易に、観察者に良好な立体画像を提供することができる。
【００１７】
この場合、好ましくは、第２の距離をΔＬ２とすると、第２の距離ΔＬ２は、表示パネルの画素開口部の一方端側から第２の方向の一方側に延びる遮光部の幅Ｗ３と、表示パネルの画素開口部の他方端側から第２の方向の他方側に延びる遮光部の幅Ｗ４とにより、以下の式（２）を満たすように設定されている。このように構成すれば、表示パネルに形成される遮光部の第２の方向の一方側の幅Ｗ３と、他方側の幅Ｗ４とに基づいて、容易に、第２の距離ΔＬ２を算出することができる。その結果、容易に、表示パネルの画素開口部の第２の方向の中心位置と、位相差板の透過部の第２の方向の中心位置とが対応するように配置することができる。
ΔＬ２＝（Ｗ３／２）−（Ｗ４／２）・・・（２）
【００１８】
上記位相差板を備えた画像表示装置において、好ましくは、表示パネルの所定の基準辺を第１の方向に配置した状態では、位相差板の透過部は、第１の方向と第１の方向に交差する第２の方向との両方に交差する第３の方向に沿って延びるように設けられるとともに、表示パネルには、第３の方向に沿って延びるように右目用画像および左目用画像が表示されている。このように構成すれば、第３の方向に沿って延びるように表示される右目用画像および左目用画像が付加された光を、第３の方向に沿って延びる位相差板の透過部を通過させることができる。これにより、右目用画像が付加された光と、左目用画像が付加された光とを、それぞれ、第３の方向に沿って延びた状態で進行させることができる。その結果、右目および左目に向かって進行するように分離された光を、第１の方向（縦方向）および第２の方向（横方向）にほぼ均等に分散した状態で観察者の目に向かって進行させることができるので、観察者の両面が観察する表示パネルの画像の解像度の低下を第１の方向（縦方向）および第２の方向（横方向）に分散することができる。その結果、観察者に、画像劣化の少ない立体画像を観察していると認識させることができる。
【００１９】
上記分離手段が位相差板を含む画像表示装置において、好ましくは、分離手段は、偏光制御液晶パネルをさらに含み、表示パネルの所定の基準辺を第１の方向と交差する第２の方向に配置した状態で、表示パネルの画素開口部の中心位置が、表示パネルの画素の中心位置から第２の方向に第１の距離だけ隔てた位置に存在する場合に、偏光制御液晶パネルは、偏光制御液晶パネルの第２の方向の中心位置が、表示パネルの第２の方向の中心位置から第２の方向に第１の距離だけ隔てた位置と実質的に一致するように配置されている。このように構成すれば、表示パネルの第２の方向の中心位置と、偏光制御液晶パネルの第２の方向の中心位置とが実質的に一致した状態から、偏光制御液晶パネルを第２の方向に第２の距離だけ移動することにより、容易に、表示パネルの画素開口部の第２の方向の中心位置と、偏光制御液晶パネルの透過部の第２の方向の中心位置とが対応するように配置することができる。その結果、容易に、観察者に良好な立体画像を提供することができる。
【００２０】
この場合、好ましくは、第１の距離をΔＬ１とすると、第１の距離ΔＬ１は、表示パネルの画素開口部の一方端側から第２の方向の一方側に延びる遮光部の幅Ｗ１と、表示パネルの画素開口部の他方端側から第２の方向の他方側に延びる遮光部の幅Ｗ２とにより、以下の式（１）を満たすように設定されている。このように構成すれば、表示パネルに形成される遮光部の第２の方向の一方側の幅Ｗ１と、他方側の幅Ｗ２とに基づいて、容易に、第１の距離ΔＬ１を算出することができる。その結果、容易に、表示パネルの画素開口部の第２の方向の中心位置と、偏光制御液晶パネルの透過部の第２の方向の中心位置とが対応するように配置することができる。
ΔＬ１＝（Ｗ１／２）−（Ｗ２／２）・・・（１）
【００２１】
上記偏光制御液晶パネルを備えた画像表示装置において、好ましくは、偏光制御液晶パネルには、第１電極および第２電極が設けられており、偏光制御液晶パネルは、第１電極および第２電極に電圧を印加しないことにより、第１電極および第２電極が設けられる位置に対応する領域を透過部にする第１状態と、第１電極に電圧を印加しないとともに、第２電極に電圧を印加することにより、少なくとも第２電極が設けられる位置に対応する領域を透過部にする第２状態とに切り替えることが可能であり、偏光制御液晶パネルを第１状態に制御することにより、表示パネルの所定の基準辺を第１の方向に配置した状態で、観察者に立体画像を提供するとともに、偏光制御液晶パネルを第２状態に制御することにより、表示パネルの所定の基準辺を第２の方向に配置した状態で、観察者に立体画像を提供する。このように構成すれば、偏光制御液晶パネルを第１の状態および第２の状態に切り替えることにより、表示パネルの所定の基準辺を第１の方向（縦方向）および第２の方向（横方向）の両方向に配置した場合に、観察者に立体画像を提供することができる。
【００２２】
上記第１電極および第２電極が設けられた偏光制御液晶パネルを備えた構成において、好ましくは、偏光制御液晶パネルは、第１電極および第２電極に電圧を印加することにより第１電極および第２電極が設けられる位置に対応する領域を透過部にする第３状態に切り替えることがさらに可能であり、偏光制御液晶パネルを第３状態に制御することにより、表示パネルの所定の基準辺を第１の方向および第２の方向に配置した状態で、観察者に平面画像を提供する。このように構成すれば、偏光制御液晶パネルを第３の状態にすることにより、観察者に平面画像を提供することができるので、同じ画像表示装置で観察者に立体画像および平面画像を提供することができる。
【００２３】
上記一の局面による画像表示装置において、好ましくは、表示パネルに光を照射するための光源をさらに備えている。このように構成すれば、画像を表示するための表示パネルに光を照射することができるので、容易に、表示パネルの画像が付加された光を観察者側に進行させることができる。
【発明を実施するための最良の形態】
【００２４】
以下、本発明を具体化した実施形態を図面に基づいて説明する。
【００２５】
図１は、本発明の一実施形態による画像表示装置の分解斜視図である。図２は、図１に示した一実施形態による画像表示装置の表示パネルを観察者が観察した状態を側方から示した図であり、図３は、図１に示した一実施形態による画像表示装置の表示パネルを観察者が観察した状態を上方から示した図である。図４〜図１２は、図１に示した一実施形態による画像表示装置の構成を詳細に説明するための図である。まず、図１〜図１２を参照して、本発明の一実施形態による画像表示装置１の構成について説明する。
【００２６】
本発明の一実施形態による画像表示装置１は、縦向きに配置した場合および横向きに配置した場合の両方の場合に、観察者８０に立体画像を提供することが可能な装置である。さらに、本実施形態の画像表示装置１は、縦向きに配置した場合および横向きに配置した場合の両方の場合に、観察者８０に平面画像を提供することも可能である。この画像表示装置１は、図１〜図３に示すように、バックライト１０と、バックライト１０の光出射側に配置され、画像を表示するための液晶表示パネルからなる表示パネル２０と、表示パネル２０を挟み込むように配置される偏光板３０および４０と、偏光板４０の光出射側に配置される位相差板５０と、位相差板５０の光出射側に配置される偏光制御液晶パネル６０と、偏光制御液晶パネル６０の光出射側に配置される偏光板７０とを備えている。なお、位相差板５０および偏光制御液晶パネル６０は、本発明の「分離手段」の一例である。なお、画像表示装置１を観察する観察者８０は、画像を正面から見ることが可能な観察中心に位置している。つまり、観察者８０は、画像を分離する分離手段である位相差板５０および偏光制御液晶パネル６０の中心に対応する観察中心（図２および図３参照）に位置している。また、本実施形態において、縦向きに配置とは、表示パネル２０、位相差板５０および偏光制御液晶パネル６０の基準辺２０ａ、５０ａおよび６０ａ（図１参照）が観察者８０から見て垂直方向（図１のＹ方向）に配置された状態のことを意味し、横向きに配置とは、表示パネル２０、位相差板５０および偏光制御液晶パネル６０の基準辺２０ａ、５０ａおよび６０ａが観察者８０から見て水平方向（図１のＸ方向）に配置された状態のことを意味する。なお、Ｙ方向（垂直方向）は、本発明の「第１の方向」の一例であり、Ｘ方向（水平方向）は、本発明の「第２の方向」の一例である。
【００２７】
バックライト１０は、偏光板３０に光を照射する機能を有している。また、本実施形態では、偏光板３０は、観察者８０側から見て約１３５°の偏光軸を有するように設定されているので、観察者８０側から見て約１３５°の偏光軸を有する光のみを透過する機能を有している。以下、特に記載のない限り、偏光軸の角度は、観察者８０側から見た角度を示す。なお、本実施形態では、偏光軸の角度は、表示パネル２０を縦向きに配置した状態における角度を示す。
【００２８】
表示パネル２０は、ＯＦＦ状態で、入射した光の偏光軸を約９０°変化させた状態で出射させるとともに、ＯＮ状態で、入射した光の偏光軸をほぼ変化させないで出射させる９０°ＴＮ（Ｔｗｉｓｔｅｄ  Ｎｅｍａｔｉｃ）液晶パネルからなる。この表示パネル２０は、図４に示すように、赤色（Ｒ）、緑色（Ｇ）および青色（Ｂ）の光の３原色をそれぞれ表示するための画素２１、２２および２３を有している。そして、その画素２１は、赤色（Ｒ）を表示する領域の画素開口部２１ａを含み、画素２２は、緑色（Ｇ）を表示する領域の画素開口部２２ａを含み、画素２３は、青色（Ｂ）を表示する領域の画素開口部２３ａを含んでいる。また、画素開口部２１ａ、２２ａおよび２３ａ以外の部分には、画素開口部２１ａ、２２ａおよび２３ａの周りを、それぞれ、囲むように遮光部２４が設けられている。
【００２９】
この画素開口部２１ａ、２２ａおよび２３ａは、表示パネル２０の基準辺２０ａが図４のＹ方向（垂直方向）に配置された縦向き配置の状態において、Ｙ方向が長手方向となるように長方形状に形成されている。そして、表示パネル２０を縦向きに配置した場合には、画素開口部２１ａ、２２ａおよび２３ａに表示される左目用画像Ｌ１および右目用画像Ｒ１は、図４のＸ方向およびＹ方向の両方に対して交差する斜め方向であるＡ方向に沿った市松状（階段状）に表示されている。具体的には、図４に示した各画素開口部２１ａ、２２ａおよび２３ａにおいて、左目用画像Ｌ１の表示領域は、ハッチング領域（斜線領域）で示されており、右目用画像Ｒ１の表示領域は、ハッチングの施されていない非ハッチング領域（非斜線領域）で示されている。また、ハッチング領域に位置する左目用画像Ｌ１は、斜め方向（図４のＡ方向）にＲＧＢの画素開口部２１ａ、２２ａおよび２３ａが連続するように表示される。また、非ハッチング領域に位置する右目用画像Ｒ１も、斜め方向（図４のＡ方向）にＲＧＢの画素開口部２１ａ、２２ａおよび２３ａが連続するように表示される。そして、左目用画像Ｌ１と右目用画像Ｒ１とは、ＲＧＢの画素開口部２１ａ、２２ａおよび２３ａが連続するように延びる斜め方向（図４のＡ方向）に交差する方向に交互に表示される。
【００３０】
また、画像表示装置１をＢ方向（図１および図４参照）に９０°回転させることにより、表示パネル２０の基準辺２０ａが図５に示すようにＸ方向（水平方向）に配置された横向き配置の場合には、光の３原色（ＲＧＢ）に対応する画素開口部２１ａ、２２ａおよび２３ａに表示される左目用画像Ｌ２（ハッチング領域）および右目用画像Ｒ２（非ハッチング領域）は、それぞれ、横向き配置された表示パネル２０を観察する観察者８０（図３参照）の右目８０ａおよび左目８０ｂを結んだ線分に対して実質的に垂直方向（Ｙ方向）に延びるように表示される。そして、図５に示した横向き配置の場合には、垂直方向（Ｙ方向）に延びる左目用画像Ｌ２と右目用画像Ｒ２とは、水平方向（Ｘ方向）に交互に表示される。
【００３１】
また、遮光部２４は、図６に示すように、能動素子となるＴＦＴ２５や、そのＴＦＴ２５に接続される電極（図示せず）を覆うように設けられている。また、縦向き配置の状態において、遮光部２４は、画素開口部２１ａ、２２ａおよび２３ａ（図４参照）の長手方向の一方端側（Ｙ１方向側）からＹ１方向に延びる遮光領域２４ａと、長手方向の他方端側（Ｙ２方向側）からＹ２方向に延びる遮光領域２４ｂと、短手方向の一方端側（Ｘ１方向側）からＸ１方向に延びる遮光領域２４ｃと、短手方向の他方端側（Ｘ２方向側）からＸ２方向に延びる遮光領域２４ｄとを含んでいる。そして、遮光領域２４ａは、ＴＦＴ２５を覆うために設けられており、縦向き配置の状態において、遮光領域２４ｂのＹ方向の幅Ｗ２より大きいＹ方向の幅Ｗ１を有している。また、遮光領域２４ｃは、縦向き配置の状態において、遮光領域２４ｄのＸ方向の幅Ｗ４より大きいＸ方向の幅Ｗ３を有している。このため、画素２１、２２および２３（図４参照）の中心位置（画素中心位置）Ｃ１は、画素開口部２１ａ、２２ａおよび２３ａの中心位置（画素開口部中心位置）Ｃ２とは異なる位置となる。具体的には、縦向き配置の状態において、画素開口部２１ａ、２２ａおよび２３ａの画素開口部中心位置Ｃ２は、画素２１、２２および２３の画素中心位置Ｃ１からＹ（Ｙ２）方向にΔＬ１（＝（Ｗ１／２）−（Ｗ２／２））隔てた位置となる。また、縦向き配置の状態において、画素開口部２１ａ、２２ａおよび２３ａの画素開口部中心位置Ｃ２は、画素２１、２２および２３の画素中心位置Ｃ１からＸ（Ｘ２）方向にΔＬ２（＝（Ｗ３／２）−（Ｗ４／２））隔てた位置となる。
【００３２】
本実施形態では、偏光板４０は、図１に示すように、約４５°の偏光軸を有するように設定されているので、約４５°の偏光軸を有する光のみを透過する機能を有している。
【００３３】
また、本実施形態では、位相差板５０は、図７に示すように、約７５°の偏光軸を有する偏光制御領域５１ａと、約１５°の偏光軸を有する偏光制御領域５１ｂとを含むように構成されている。この位相差板５０は、表示パネル２０の基準辺２０ａおよび位相差板５０の基準辺５０ａが縦向き（Ｙ方向）に配置された状態で、偏光制御領域５１ｂから出射した光を、観察者８０の右目８０ａに向かう光と、観察者８０の左目８０ｂに向かう光とに分離するために設けられている。なお、偏光制御領域５１ｂは、本発明の「透過部」の一例である。また、偏光制御領域５１ａおよび５１ｂは、透過する光の偏光軸を位相差板５０の偏光軸に対して線対称の偏光軸に変化させる機能を有している。つまり、偏光制御領域５１ａは、入射した光の偏光軸を約７５°の偏光軸に対して線対称に変化させ、偏光制御領域５１ｂは、入射した光の偏光軸を約１５°の偏光軸に対して線対称に変化させる機能を有している。なお、本実施形態では、後述するように、偏光制御液晶パネル６０も同様の機能を有している。
【００３４】
ここで、本実施形態では、図６に示すように、偏光制御領域５１ｂの中心位置（透過部中心位置）Ｃ３は、縦向きに配置された表示パネル２０の画素２１、２２および２３の画素中心位置Ｃ１とは異なる位置にある画素開口部２１ａ、２２ａおよび２３ａの画素開口部中心位置Ｃ２に実質的に対応するように設けられている。このため、偏光制御領域５１ｂは、表示パネル２０の画素開口部中心位置Ｃ２および偏光制御領域５１ｂの開口部中心位置Ｃ３を通過する光を、図２に示した観察中心に位置する観察者８０の右目８０ａおよび左目８０ｂに進行させることが可能となる。以下、特に記載のない限り、右目８０ａおよび左目８０ｂは、観察者８０の右目８０ａおよび左目８０ｂを示す。また、本実施形態では、偏光制御領域５１ｂは、図８のＸ方向およびＹ方向の両方に対して交差する斜め方向であるＡ方向に沿った市松状（階段状）に配置されている。この偏光制御領域５１ｂは、図７および図８のＹ方向が長手方向となるように長方形状に形成されている。
【００３５】
ここで、表示パネル２０と位相差板５０との位置関係について詳細に説明する。表示パネル２０の基準辺２０ａおよび位相差板５０の基準辺５０ａを縦向き（Ｙ方向）に配置した状態では、画素開口部中心位置Ｃ２（図６参照）は、画素中心位置Ｃ１（図６参照）からＹ（Ｙ２）方向にΔＬ１だけ隔てた位置にあるので、位相差板５０のＹ方向の中心位置Ｃ４が、表示パネル２０のＹ方向の中心位置Ｃ５からＹ２方向にΔＬ１だけ隔てた位置になるように、位相差板５０が配置されている。さらに、表示パネル２０の基準辺２０ａおよび位相差板５０の基準辺５０ａを縦向き（Ｙ方向）に配置した状態では、画素開口部中心位置Ｃ２は、画素中心位置Ｃ１からＸ（Ｘ２）方向にΔＬ２だけ隔てた位置にあるので、図８に示すように、位相差板５０のＸ方向の中心位置Ｃ６が、表示パネル２０のＸ方向の中心位置Ｃ７からＸ２方向にΔＬ２だけ隔てた位置になるように、位相差板５０が配置されている。
【００３６】
また、偏光制御領域５１ａは、表示パネル２０の基準辺２０ａおよび位相差板５０の基準辺５０ａが縦向き（Ｙ方向）に配置された場合に、表示パネル２０の左目用画像Ｌ１が表示される領域（ハッチング領域）と観察者８０の右目８０ａとを結んだ線上に配置されるとともに、表示パネル２０の右目用画像Ｒ１が表示される領域（非ハッチング領域）と観察者８０の左目８０ｂとを結んだ線上に配置される。
【００３７】
本実施形態では、偏光制御液晶パネル６０は、図９および図１０に示すように、約１２０°の偏光軸を有する偏光制御領域６１ａおよび６１ｂを有している。この偏光制御液晶パネル６０は、表示パネル２０、位相差板５０および偏光制御液晶パネル６０の基準辺２０ａ、５０ａおよび６０ａが横向き（Ｘ方向）に配置された状態（図１０参照）で、偏光制御領域６１ｂから出射した光を、観察者８０の右目８０ａに向かう光と、左目８０ｂに向かう光とに分離するために設けられている。なお、偏光制御領域６１ｂは、本発明の「透過部」の一例である。また、偏光制御領域６１ａおよび６１ｂは、入射した光の偏光軸を約１２０°の偏光軸に対して線対称の偏光軸に変化させる機能を有している。
【００３８】
ここで、本実施形態では、図１１に示すように、表示パネル２０の基準辺２０ａおよび偏光制御液晶パネル６０の基準辺６０ａが横向き（Ｘ方向）に配置された状態において、偏光制御領域６１ｂのＸ方向の中心位置（透過部中心位置）Ｃ８は、横向きに配置された表示パネル２０の画素中心位置Ｃ１とは異なる位置にある画素開口部中心位置Ｃ２に実質的に対応するように設けられる。このため、偏光制御領域６１ｂは、表示パネル２０の画素開口部中心位置Ｃ２および偏光制御領域６１ｂの開口部中心位置Ｃ８を通過する光を、図３に示した観察中心に位置する観察者８０の右目８０ａおよび左目８０ｂに進行させることが可能となる。また、偏光制御領域６１ａおよび６１ｂは、図１０に示すように、表示パネル２０が横向きに配置された状態で、観察者８０の右目８０ａおよび左目８０ｂを結んだ方向（Ｘ方向）に対して実質的に垂直方向（図１０のＹ方向）に延びるように形成されるとともに、図１０のＸ方向に沿った方向に交互に設けられている。
【００３９】
ここで、表示パネル２０と偏光制御液晶パネル６０との位置関係について詳細に説明する。表示パネル２０の基準辺２０ａおよび偏光制御液晶パネル６０の基準辺６０ａが横向き（Ｘ方向）に配置された状態において、画素開口部中心位置Ｃ２（図１１参照）は、画素中心位置Ｃ１からＸ（Ｘ２）方向にΔＬ１だけ隔てた位置にあるので、図１２に示すように、偏光制御液晶パネル６０のＸ方向の中心位置Ｃ９が、表示パネル２０のＸ方向の中心位置Ｃ５からＸ２方向にΔＬ１だけ隔てた位置になるように、偏光制御液晶パネル６０が配置されている。
【００４０】
また、偏光制御領域６１ａは、表示パネル２０が横向きに配置された場合に、表示パネル２０の左目用画像Ｌ２が表示される領域（ハッチング領域）と観察者８０の右目８０ａとを結んだ線上に配置されるとともに、表示パネル２０の右目用画像Ｒ２が表示される領域（非ハッチング領域）と観察者８０の左目８０ｂとを結んだ線上に配置される。
【００４１】
また、本実施形態では、偏光制御液晶パネル６０の偏光制御領域６１ａおよび６１ｂの対応する位置には、それぞれ、電極６１ｃおよび６１ｄが設けられている。これにより、偏光制御領域６１ａおよび６１ｂに位置する液晶に電極６１ｃおよび６１ｄを用いて電圧を印加することが可能となる。このため、電極６１ｃおよび６１ｄに対応する位置の液晶への電圧の印加状態を制御することによって、偏光制御領域６１ａおよび６１ｂの偏光制御状態を容易に変化させることが可能となる。本実施形態では、偏光制御液晶パネル６０は、ＯＦＦ状態で、入射した光の偏光軸を変化させた状態で出射させるとともに、ＯＮ状態で、入射した光の偏光軸をほぼ変化させないで出射させるＴＮ液晶パネルからなる。そして、本実施形態では、偏光制御領域６１ａおよび６１ｂを電圧印加状態（ＯＮ状態）にすることにより、約１２０°の偏光軸を無効にして所定の偏光軸を有する光を偏光軸をほぼ変化させないで透過させることが可能となり、かつ、電圧非印加状態（ＯＦＦ状態）にすることにより約１２０°の偏光軸を有効にしてその１２０°の偏光軸に対して線対称に光の偏光軸を変化させることが可能となる。これにより、電極６１ｃおよび６１ｄに電圧を印加しないことにより、偏光制御領域６１ａおよび６１ｂを電圧非印加状態（ＯＦＦ状態）に制御する第１の状態と、電極６１ｃに電圧を印加せず、電極６１ｄに電圧を印加することにより、偏光制御領域６１ａを電圧非印加状態（ＯＦＦ状態）に制御するとともに偏光制御領域６１ｂを電圧印加状態（ＯＮ状態）に制御する第２の状態と、電極６１ｃおよび６１ｄに電圧を印加することにより、偏光制御領域６１ａおよび６１ｂを電圧印加状態（ＯＮ状態）に制御する第３の状態とを切り替えることが可能となる。なお、電極６１ｃおよび電極６１ｄは、それぞれ、本発明の「第１電極」および「第２電極」の一例である。
【００４２】
本実施形態では、偏光板７０は、約４５°の偏光軸を有するように設定されているので、入射する光を、約４５°の偏光軸を有する光に変化させて透過する機能を有する。
【００４３】
（縦向き配置時の立体画像表示モード）
図１３は、図１に示した本発明の一実施形態による画像表示装置の表示パネルの縦向き配置時における立体画像表示方法を説明するための図である。なお、図１３において、破線は、偏光板３０、４０、７０、位相差板５０および偏光制御液晶パネル６０の偏光軸の角度を示すとともに、矢印は、透過光の偏光軸の角度を示す。次に、図２、図４、図６、図９および図１３を参照して、本発明の一実施形態による表示パネル２０の縦向き配置時における立体画像表示方法について説明する。
【００４４】
まず、バックライト１０（図２参照）から照射された光は、図１３に示すように、偏光板３０により、約１３５°の偏光軸を有する光のみを透過する。そして、偏光板３０を出射した光は、表示パネル２０の画素開口部２１ａ、２２ａおよび２３ａに入射する。この場合、図４に示すように、画素開口部２１ａ、２２ａおよび２３ａのうちのハッチング領域には、左目用画像Ｌ１が表示されているとともに、画素開口部２１ａ、２２ａおよび２３ａのうちの非ハッチング領域には、右目用画像Ｒ１が表示されている。表示パネル２０に入射した光は、図１３に示すように、９０°ＴＮ液晶パネルからなる表示パネル２０により偏光軸が９０°変化した状態で出射される。すなわち、表示パネル２０を透過した光は、約４５°の偏光軸を有する。そして、表示パネル２０を出射した光は、約４５°の偏光軸を有する偏光板４０を透過して、位相差板５０の偏光制御領域５１ａまたは５１ｂに入射する。
【００４５】
位相差板５０の偏光制御領域５１ａに入射した光は、図１３に示すように、偏光制御領域５１ａの約７５°の偏光軸に対して線対称の偏光軸に変化されて透過する。すなわち、偏光制御領域５１ａを出射した光は、約１０５°の偏光軸を有する。そして、偏光制御領域５１ａを出射した光は、偏光制御液晶パネル６０の偏光制御領域６１ａおよび６１ｂを透過する。この際、偏光制御液晶パネル６０は、電極６１ｃおよび６１ｄ（図９参照）に電圧が印加されないＯＦＦ状態（上記第１の状態）に制御されているので、偏光制御領域６１ａおよび６１ｂの約１２０°の偏光軸は有効になる。したがって、偏光制御領域６１ａおよび６１ｂに入射した光は、偏光制御領域６１ａおよび６１ｂの約１２０°の偏光軸に対して線対称の偏光軸に変化されて透過する。すなわち、位相差板５０の偏光制御領域５１ａを出射して偏光制御液晶パネル６０を出射した光は、約１３５°の偏光軸を有する。その後、偏光制御液晶パネル６０を出射した光は、約４５°の偏光軸を有する偏光板７０により遮光される。この場合、位相差板５０の偏光制御領域５１ａは、上記したように、表示パネル２０の左目用画像Ｌ１が表示される画素開口部２１ａ〜２３ａと右目８０ａとを結ぶ線上に配置されているので、左目用画像Ｌ１が右目８０ａに入射するのを抑制することが可能となる。また、位相差板５０の偏光制御領域５１ａは、表示パネル２０の右目用画像Ｒ１が表示される領域と左目８０ｂとを結ぶ線上に配置されているので、右目用画像Ｒ１が左目８０ｂに入射するのを抑制することが可能となる。
【００４６】
一方、位相差板５０の偏光制御領域５１ｂに入射した光は、図１３に示すように、偏光制御領域５１ｂの約１５°の偏光軸に対して線対称の偏光軸に変化されて透過する。すなわち、偏光制御領域５１ｂを出射した光は、約１６５°の偏光軸を有する。そして、偏光制御領域５１ｂを出射した光は、偏光制御液晶パネル６０の偏光制御領域６１ａおよび６１ｂを透過する。この際、偏光制御液晶パネル６０は、電極６１ｃおよび６１ｄ（図９参照）に電圧が印加されないＯＦＦ状態（上記第１の状態）に制御されているので、偏光制御領域６１ａおよび６１ｂの約１２０°の偏光軸は有効になる。したがって、偏光制御領域６１ａおよび６１ｂに入射した光は、偏光制御領域６１ａおよび６１ｂの約１２０°の偏光軸に対して線対称の偏光軸に変化されて透過する。すなわち、位相差板５０の偏光制御領域５１ｂを出射して偏光制御液晶パネル６０を出射した光は、約７５°の偏光軸を有することとなる。その後、偏光制御液晶パネル６０を出射した光は、約４５°の偏光軸に変化されて偏光板７０から出射される。この場合、図６に示すように、位相差板５０の偏光制御領域５１ｂの透過部中心位置Ｃ３は、表示パネル２０の左目用画像Ｌ１が表示される画素開口部中心位置Ｃ２と、観察中心の左目８０ｂとを結ぶ線上に配置されているので、左目用画像Ｌ１を左目８０ｂに入射することが可能となる。また、透過部中心位置Ｃ３は、表示パネル２０の右目用画像Ｒ１が表示される画素開口部中心位置Ｃ２と、観察中心の右目８０ａとを結ぶ線上に配置されているので、右目用画像Ｒ１を右目８０ａに入射することが可能となる。
【００４７】
上記のように、表示パネル２０の縦向き配置時において、右目８０ａおよび左目８０ｂに、それぞれ、左目用画像Ｌ１および右目用画像Ｒ１が入射されることにより、観察者８０は、立体画像を見ることが可能となる。
【００４８】
（横向き配置時の立体画像表示モード）
図１４は、図１に示した本発明の一実施形態による画像表示装置の表示パネルの横向き配置時における立体画像表示方法を説明するための図である。次に、図３、図１０、図１１および図１４を参照して、本発明の一実施形態による表示パネル２０の縦向き配置時における立体画像表示方法について説明する。
【００４９】
まず、バックライト１０（図３参照）から照射された光は、図１４に示すように、偏光板３０により、約１３５°の偏光軸を有する光のみを透過する。なお、横向き配置時には、縦向き配置時に比べて偏光軸が９０°ずつ回転するが、本実施形態では、簡略化のため、横向き配置時においても、縦向き配置時の偏光軸の角度をそのまま用いて説明する。そして、偏光板３０を出射した光は、表示パネル２０の画素開口部２１ａ、２２ａおよび２３ａに入射する。この場合、図４に示すように、画素開口部２１ａ、２２ａおよび２３ａのうちのハッチング領域には、左目用画像Ｌ２が表示されているとともに、画素開口部２１ａ、２２ａおよび２３ａのうちの非ハッチング領域には、右目用画像Ｒ２が表示されている。表示パネル２０に入射した光は、図１４に示すように、９０°ＴＮ液晶パネルからなる表示パネル２０により偏光軸が９０°変化した状態で出射される。すなわち、表示パネル２０を透過した光は、約４５°の偏光軸を有する。そして、表示パネル２０を出射した光は、約４５°の偏光軸を有する偏光板４０を透過して、位相差板５０の偏光制御領域５１ａまたは５１ｂに入射する。
【００５０】
位相差板５０の偏光制御領域５１ａに入射した光は、図１４に示すように、位相差板５０の偏光制御領域５１ａの約７５°の偏光軸に対して線対称の偏光軸に変化されて透過する。すなわち、偏光制御領域５１ａを出射した光は、約１０５°の偏光軸を有する。そして、位相差板５０の偏光制御領域５１ａを出射した光は、偏光制御液晶パネル６０の偏光制御領域６１ａおよび６１ｂを透過する。この際、偏光制御液晶パネル６０は、偏光制御領域６１ａに対応する電極６１ｃ（図１０参照）に電圧を印加しないＯＦＦ状態（上記第２の状態）に制御されているので、偏光制御領域６１ａの約１２０°の偏光軸は有効になる。したがって、位相差板５０の偏光制御領域５１ａを出射して偏光制御液晶パネル６０の偏光制御領域６１ａに入射した光は、偏光制御領域６１ａの約１２０°の偏光軸に対して線対称の偏光軸に変化されて透過する。すなわち、位相差板５０の偏光制御領域５１ａを出射して偏光制御液晶パネル６０の偏光制御領域６１ａを出射した光は、約１３５°の偏光軸を有する。そして、偏光制御液晶パネル６０の偏光制御領域６１ａを出射した光は、約４５°の偏光軸を有する偏光板７０により遮光される。この場合、上記したように、偏光制御液晶パネル６０の偏光制御領域６１ａは、表示パネル２０の右目用画像Ｒ２が表示される画素開口部２１ａ〜２３ａと左目８０ｂとを結ぶ線上に配置されているので、右目用画像Ｒ２が左目８０ｂに入射するのを抑制することが可能となる。また、偏光制御領域６１ａは、表示パネル２０の左目用画像Ｌ２が表示される画素開口部２１ａ〜２３ａと右目８０ａとを結ぶ線上に配置されているので、左目用画像Ｌ２が右目８０ａに入射するのを抑制することが可能となる。
【００５１】
一方、偏光制御液晶パネル６０は、偏光制御領域６１ｂに対応する電極６１ｄ（図１０参照）に電圧を印加するＯＮ状態（上記第２の状態）に制御されているので、偏光制御領域６１ｂの偏光軸は無効になる。したがって、偏光制御領域６１ｂに入射した光は、図１４に示すように、偏光軸を変化されることなく出射される。すなわち、位相差板５０の偏光制御領域５１ａを出射して偏光制御液晶パネル６０の偏光制御領域６１ｂを出射した光は、約１０５°の偏光軸を有する。そして、偏光制御液晶パネル６０を出射した光は、約４５°の偏光軸に変化されて偏光板７０から出射される。この場合、偏光制御液晶パネル６０の偏光制御領域６１ｂの透過部中心位置Ｃ８は、図１１に示すように、表示パネル２０の左目用画像Ｌ２が表示される画素開口部２１ａ〜２３ａと左目８０ｂとを結ぶ線上に配置されているので、左目用画像Ｌ２を左目８０ｂに入射させることが可能となる。また、透過部中心位置Ｃ８は、表示パネル２０の右目用画像Ｒ２が表示される画素開口部２１ａ〜２３ａと右目８０ａとを結ぶ線上に配置されているので、右目用画像Ｒ２を右目８０ａに入射させることが可能となる。
【００５２】
また、位相差板５０の偏光制御領域５１ｂに入射した光は、偏光制御領域５１ｂの約１５°の偏光軸に対して線対称の偏光軸に変化されて透過する。すなわち、偏光制御領域５１ｂを出射した光は、約１６５°の偏光軸を有する。そして、位相差板５０の偏光制御領域５１ｂを出射した光は、偏光制御液晶パネル６０の偏光制御領域６１ａおよび６１ｂを透過する。この際、偏光制御液晶パネル６０は、偏光制御領域６１ａに対応する電極６１ｃ（図１０参照）に電圧を印加しないＯＦＦ状態（上記第２の状態）に制御されているので、偏光制御領域６１ａの約１２０°の偏光軸は有効になる。したがって、位相差板５０の偏光制御領域５１ｂを出射して偏光制御液晶パネル６０の偏光制御領域６１ａに入射した光は、偏光制御液晶パネル６０の偏光制御領域６１ａの約１２０°の偏光軸に対して線対称の偏光軸に変化されて透過する。すなわち、位相差板５０の偏光制御領域５１ｂを出射して偏光制御領域６１ａを出射した光は、約７５°の偏光軸を有する。そして、偏光制御液晶パネル６０の偏光制御領域６１ａを出射した光は、約４５°の偏光軸に変化されて偏光板７０から出射される。この場合、上記したように、偏光制御液晶パネル６０の偏光制御領域６１ａは、表示パネル２０の右目用画像Ｒ２が表示される画素開口部２１ａ〜２３ａと左目８０ｂとを結ぶ線上に配置されているので、右目用画像Ｒ２が左目８０ｂに入射する。また、偏光制御領域６１ａは、表示パネル２０の左目用画像Ｌ２が表示される画素開口部２１ａ〜２３ａと右目８０ａとを結ぶ線上に配置されているので、左目用画像Ｌ２が右目８０ａに入射する。
【００５３】
一方、偏光制御液晶パネル６０は、偏光制御領域６１ｂに対応する電極６１ｄ（図１０参照）に電圧を印加するＯＮ状態（上記第２の状態）に制御されているので、偏光制御領域６１ｂの偏光軸は無効になる。したがって、偏光制御領域６１ｂに入射した光は、図１４に示すように、偏光軸を変化されることなく出射される。すなわち、位相差板５０の偏光制御領域５１ｂを出射して偏光制御液晶パネル６０の偏光制御領域６１ｂを出射した光は、約１６５°の偏光軸を有する。そして、偏光制御液晶パネル６０を出射した光は、約４５°の偏光軸に変化されて偏光板７０から出射される。この場合、偏光制御液晶パネル６０の偏光制御領域６１ｂの透過部中心位置Ｃ８は、図１１に示すように、表示パネル２０の左目用画像Ｌ２が表示される画素開口部２１ａ〜２３ａと左目８０ｂとを結ぶ線上に配置されているので、左目用画像Ｌ２を左目８０ｂに入射させることが可能となる。また、透過部中心位置Ｃ８は、表示パネル２０の右目用画像Ｒ２が表示される画素開口部２１ａ〜２３ａと右目８０ａとを結ぶ線上に配置されているので、右目用画像Ｒ２を右目８０ａに入射させることが可能となる。
【００５４】
上記のように、表示パネル２０の横向き配置時において、右目８０ａおよび左目８０ｂに、それぞれ、左目用画像Ｌ２および右目用画像Ｒ２が入射されることにより、観察者８０は、立体画像を見ることが可能となる。
【００５５】
（縦向き配置時の平面画像表示モード）
図１５は、図１に示した本発明の一実施形態による画像表示装置の表示パネルを縦向きに配置した場合の平面画像表示時において観察者が表示パネルを見た状態を上方から示した図である。図１６は、図１に示した本発明の一実施形態による表示パネルの縦向き配置および横向き配置時における平面画像表示方法を説明するための図である。次に、図９、図１０、図１５および図１６を参照して、本発明の一実施形態による表示パネル２０の縦向き配置時における平面画像表示方法について説明する。
【００５６】
まず、バックライト１０（図１５参照）から照射された光は、図１６に示すように、偏光板３０により、約１３５°の偏光軸を有する光のみを透過する。そして、偏光板３０を出射した光は、表示パネル２０に入射する。この場合、図１５に示すように、表示パネル２０には、平面画像Ｓ１が表示されている。表示パネル２０に入射した光は、図１６に示すように、９０°ＴＮ液晶パネルからなる表示パネル２０により偏光軸が９０°変化した状態で出射される。すなわち、表示パネル２０を透過した光は、約４５°の偏光軸を有する。そして、表示パネル２０を出射した光は、約４５°の偏光軸を有する偏光板４０を透過して、位相差板５０の偏光制御領域５１ａまたは５１ｂに入射する。
【００５７】
位相差板５０の偏光制御領域５１ａに入射した光は、図１６に示すように、位相差板５０の偏光制御領域５１ａの約７５°の偏光軸に対して線対称の偏光軸に変化されて透過する。すなわち、偏光制御領域５１ａを出射した光は、約１０５°の偏光軸を有する。そして、位相差板５０の偏光制御領域５１ａを出射した光は、偏光制御液晶パネル６０の偏光制御領域６１ａおよび６１ｂを透過する。この際、偏光制御液晶パネル６０は、偏光制御領域６１ａに対応する電極６１ｃ（図９および図１０参照）および偏光制御領域６１ｂに対応する電極６１ｄ（図９および図１０参照）に電圧が印加されるＯＮ状態（上記第３の状態）に制御されるので、偏光制御液晶パネル６０の偏光軸は無効になる。したがって、偏光制御領域６１ａおよび６１ｂに入射した光は、偏光軸が変化されることなく偏光制御液晶パネル６０から出射される。すなわち、偏光制御液晶パネル６０を出射した光は、約１０５°の偏光軸を有する。その後、偏光制御液晶パネル６０を出射した光は、約４５°の偏光軸に変化されて偏光板７０から出射される。これにより、偏光制御領域５１ａを介して偏光板７０から出射された光により、偏光制御領域５１ａに対応する表示パネル２０の平面画像Ｓ１が右目８０ａおよび左目８０ｂに入射される。
【００５８】
一方、位相差板５０の偏光制御領域５１ｂに入射した光は、図１６に示すように、位相差板５０の偏光制御領域５１ｂの約１５°の偏光軸に対して線対称の偏光軸に変化されて透過する。すなわち、偏光制御領域５１ｂを出射した光は、約１６５°の偏光軸を有する。そして、位相差板５０の偏光制御領域５１ｂを出射した光は、偏光制御液晶パネル６０の偏光制御領域６１ａおよび６１ｂを透過する。この際、偏光制御液晶パネル６０は、偏光制御領域６１ａに対応する電極６１ｃ（図９および図１０参照）および偏光制御領域６１ｂに対応する電極６１ｄ（図９および図１０参照）に電圧が印加されるＯＮ状態（上記第３の状態）に制御されるので、偏光制御液晶パネル６０の偏光軸は無効になる。したがって、偏光制御領域６１ａおよび６１ｂに出射した光は、偏光軸が変化されることなく偏光制御液晶パネル６０から出射される。すなわち、偏光制御液晶パネル６０を出射した光は、約１６５°の偏光軸を有する。その後、偏光制御液晶パネル６０を出射した光は、約４５°の偏光軸に変化されて偏光板７０から出射される。これにより、偏光制御領域５１ｂを介して偏光板７０から出射された光により、偏光制御領域５１ｂに対応する表示パネル２０の平面画像Ｓ１が右目８０ａおよび左目８０ｂに入射される。
【００５９】
上記のように、右目８０ａおよび左目８０ｂに平面画像Ｓ１が入射されることにより、観察者８０は、表示パネル２０を縦向きに配置した場合に、平面画像を見ることが可能となる。
【００６０】
（横向き配置時の平面画像表示モード）
図１７は、図１に示した本発明の一実施形態による画像表示装置の表示パネルを横向きに配置した場合の平面画像表示時において観察者が表示パネルを見た状態を上方から示した図である。次に、図９、図１０、図１６および図１７を参照して、本発明の一実施形態による表示パネル２０の横向き配置時における平面画像表示方法について説明する。
【００６１】
まず、バックライト１０（図１７参照）から照射された光は、図１６に示すように、偏光板３０により、約１３５°の偏光軸を有する光のみを透過する。そして、偏光板３０を出射した光は、表示パネル２０に入射する。この場合、図１７に示すように、表示パネル２０には、平面画像Ｓ２が表示されている。表示パネル２０に入射した光は、図１６に示すように、９０°ＴＮ液晶パネルからなる表示パネル２０により偏光軸が９０°変化した状態で出射される。すなわち、表示パネル２０を透過した光は、約４５°の偏光軸を有する。そして、表示パネル２０を出射した光は、約４５°の偏光軸を有する偏光板４０を透過して、位相差板５０の偏光制御領域５１ａまたは５１ｂに入射する。
【００６２】
位相差板５０の偏光制御領域５１ａに入射した光は、図１６に示すように、位相差板５０の偏光制御領域５１ａの約７５°の偏光軸に対して線対称の偏光軸に変化されて透過する。すなわち、偏光制御領域５１ａを出射した光は、約１０５°の偏光軸を有する。そして、位相差板５０の偏光制御領域５１ａを出射した光は、偏光制御液晶パネル６０の偏光制御領域６１ａおよび６１ｂを透過する。この際、偏光制御液晶パネル６０は、偏光制御領域６１ａに対応する電極６１ｃ（図９および図１０参照）および偏光制御領域６１ｂに対応する電極６１ｄ（図９および図１０参照）に電圧が印加されるＯＮ状態（上記第３の状態）に制御されるので、偏光制御液晶パネル６０の偏光軸は無効になる。したがって、偏光制御領域６１ａおよび６１ｂに入射した光は、偏光軸が変化されることなく偏光制御液晶パネル６０から出射される。すなわち、偏光制御液晶パネル６０を出射した光は、約１０５°の偏光軸を有する。その後、偏光制御液晶パネル６０を出射した光は、約４５°の偏光軸に変化されて偏光板７０から出射される。これにより、偏光制御領域５１ａを介して偏光板７０から出射された光により、偏光制御領域５１ａに対応する表示パネル２０の平面画像Ｓ２が右目８０ａおよび左目８０ｂに入射される。
【００６３】
一方、位相差板５０の偏光制御領域５１ｂに入射した光は、図１６に示すように、位相差板５０の偏光制御領域５１ｂの約１５°の偏光軸に対して線対称の偏光軸に変化されて透過する。すなわち、偏光制御領域５１ｂを出射した光は、約１６５°の偏光軸を有する。そして、位相差板５０の偏光制御領域５１ｂを出射した光は、偏光制御液晶パネル６０の偏光制御領域６１ａおよび６１ｂを透過する。この際、偏光制御液晶パネル６０は、偏光制御領域６１ａに対応する電極６１ｃ（図９および図１０参照）および偏光制御領域６１ｂに対応する電極６１ｄ（図９および図１０参照）に電圧が印加されるＯＮ状態（上記第３の状態）に制御されるので、偏光制御液晶パネル６０の偏光軸は無効になる。したがって、偏光制御領域６１ａおよび６１ｂに出射した光は、偏光軸が変化されることなく偏光制御液晶パネル６０から出射される。すなわち、偏光制御液晶パネル６０を出射した光は、約１６５°の偏光軸を有する。その後、偏光制御液晶パネル６０を出射した光は、約４５°の偏光軸に変化されて偏光板７０から出射される。これにより、偏光制御領域５１ｂを介して偏光板７０から出射された光により、偏光制御領域５１ｂに対応する表示パネル２０の平面画像Ｓ２が右目８０ａおよび左目８０ｂに入射される。
【００６４】
上記のように、右目８０ａおよび左目８０ｂに平面画像Ｓ２が入射されることにより、観察者８０は、表示パネル２０を横向きに配置した場合に、平面画像を見ることが可能となる。
【００６５】
（本実施形態の効果）
本実施形態では、上記のように、位相差板５０の偏光制御領域５１ｂの透過部中心位置Ｃ３を、縦向きに配置された表示パネル２０の画素２１、２２および２３の画素中心位置Ｃ１とは異なる位置にある画素開口部２１ａ、２２ａおよび２３ａの画素開口部中心位置Ｃ２に実質的に対応するように設けることによって、表示パネル２０の画像が表示される画素開口部２１ａ〜２３ａの画素開口部中心位置Ｃ２から出射された光を、位相差板５０の偏光制御領域５１ｂの透過部中心位置Ｃ３を介して、観察中心に位置する観察者８０の右目８０ａおよび左目８０ｂに向かって進行させることができる。すなわち、観察中心に位置する観察者８０の右目８０ａおよび左目８０ｂは、位相差板５０の偏光制御領域５１ｂの透過部中心位置Ｃ３を介して、表示パネル２０の画像が表示される画素開口部２１ａ〜２３ａを観察することができる。その結果、観察者８０の右目８０ａおよび左目８０ｂは、共に、表示パネル２０の画素開口部２１ａ〜２３ａに表示される画像の中心部周辺を観察することができるので、観察中心に位置する観察者８０に良好な立体画像を提供することができる。
【００６６】
また、本実施形態では、偏光制御液晶パネル６０の偏光制御領域６１ｂの透過部中心位置Ｃ８を、横向きに配置された表示パネル２０の画素２１、２２および２３の画素中心位置Ｃ１とは異なる位置にある画素開口部２１ａ、２２ａおよび２３ａの画素開口部中心位置Ｃ２に実質的に対応するように設けることによって、表示パネル２０の画像が表示される画素開口部２１ａ〜２３ａの画素開口部中心位置Ｃ２から出射された光を、偏光制御液晶パネル６０の偏光制御領域６１ｂの透過部中心位置Ｃ８を介して、観察中心に位置する観察者８０の右目８０ａおよび左目８０ｂに向かって進行させることができる。すなわち、観察中心に位置する観察者８０の右目８０ａおよび左目８０ｂは、偏光制御液晶パネル６０の偏光制御領域６１ｂの透過部中心位置Ｃ８を介して、表示パネル２０の画像が表示される画素開口部２１ａ〜２３ａを観察することができる。その結果、観察者８０の右目８０ａおよび左目８０ｂは、共に、表示パネル２０の画素開口部２１ａ〜２３ａに表示される画像の中心部周辺を観察することができるので、観察中心に位置する観察者８０に良好な立体画像を提供することができる。
【００６７】
また、本実施形態では、偏光制御液晶パネル６０の電極６１ｃおよび６１ｄに電圧を印加しないことにより、偏光制御領域６１ａおよび６１ｂを電圧非印加状態（ＯＦＦ状態）に制御する第１の状態と、電極６１ｃに電圧を印加せず、電極６１ｄに電圧を印加することにより、偏光制御領域６１ａを電圧非印加状態（ＯＦＦ状態）に制御するとともに偏光制御領域６１ｂを電圧印加状態（ＯＮ状態）に制御する第２の状態と、電極６１ｃおよび６１ｄに電圧を印加することにより、偏光制御領域６１ａおよび６１ｂを電圧印加状態（ＯＮ状態）に制御する第３の状態とに切り替えることが可能な偏光制御液晶パネル６０を設けることによって、表示パネル２０を縦方向および横方向の両方向に配置した場合に、観察者６０に立体画像および平面画像を提供することができる。
【００６８】
また、本実施形態では、表示パネル２０の基準線２０ａがＹ方向（垂直方向）に配置された縦向き配置の状態で、位相差板５０の偏光制御領域５１ｂをＡ方向に沿って延びるように設けるとともに、Ａ方向に沿って右目用画像Ｒ１および左目用画像Ｌ１を表示することによって、Ａ方向に沿って延びるように表示される右目用画像Ｒ１および左目用画像Ｌ１が付加された光を、Ａ方向に沿って延びる位相差板５０の偏光制御領域５１ｂを通過させることができる。これにより、右目用画像Ｒ１が付加された光と、左目用画像Ｌ１が付加された光とを、それぞれ、Ａ方向に沿って延びた状態で進行させることができる。その結果、右目８０ａおよび左目８０ｂに向かって進行するように分離された光を、縦方向（Ｙ方向）および横方向（Ｘ方向）にほぼ均等に分散した状態で観察者８０の右目８０ａおよび左目８０ｂに向かって進行させることができるので、右目８０ａおよび左目８０ｂが観察する表示パネル２０の画像の解像度の低下を縦方向（Ｙ方向）および横方向（Ｘ方向）に分散することができる。その結果、観察者８０に、画像劣化の少ない立体画像を観察していると認識させることができる。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
たとえば、上記実施形態では、表示パネルの右目用画像と左目用画像とを分離するための分離手段として、位相差板および偏光制御液晶パネルを用いる例を示したが、本発明はこれに限らず、レンズを用いて右目用画像および左目用画像が付加された光に指向性を持たせて、観察者の右目および左目に進行させてもよい。また、透過部と遮光部とが設けられたパララックスバリアなども本発明の画像表示装置に適用可能である。
【００７１】
また、上記実施形態では、本発明の分離手段として、位相差板と偏光制御液晶パネルとを用いる例を示したが、本発明はこれに限らず、位相差板または偏光制御液晶パネルのいずれか一方のみを用いてもよい。この場合、縦置き配置時または横置き配置時のいずれかで観察者に立体画像を提供することが可能である。
【００７２】
また、上記実施形態では、位相差板５０の基準線５０ａがＹ方向（垂直方向）に配置された縦向き配置の状態で、位相差板５０の偏光制御領域５１ｂをＡ方向（斜め方向）に延びる市松状（階段状）に配置した例を示したが、本発明はこれに限らず、位相差板５０の基準線５０ａがＹ方向に配置された縦向き配置の状態で、位相差板５０の偏光制御領域５１ｂを所定の方向（図７のＹ方向）に延びるように配置してもよいし、市松状（階段状）以外の斜め方向に延びるように配置してもよい。
【００７３】
また、上記実施形態では、偏光制御液晶パネル６０の基準線６０ａがＸ方向（水平方向）に配置された横向き配置の状態で、偏光制御液晶パネル６０の偏光制御領域６１ａおよび６１ｂがＹ方向（垂直方向）に延びるように配置された例を示したが、本発明はこれに限らず、偏光制御液晶パネル６０の基準線６０ａがＸ方向に配置された横向き配置の状態で、偏光制御液晶パネル６０の偏光制御領域６１ａおよび６１ｂを、位相差板５０の偏光制御領域５１ｂのように、斜め方向（Ａ方向）に延びる市松状（階段状）に配置してもよい。
【００７４】
また、上記実施形態では、表示パネル２０は、９０°ＴＮ方式を用い、表示パネル２０を挟んで対向するように配置される偏光板３０および４０が、互いに直交する偏光軸を有する例を示したが、本発明はこれに限らず、たとえば、ＶＡ（Ｖｅｒｔｉｃａｌ  Ａｌｉｇｎｍｅｎｔ）方式およびＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などの他の方式を用いてもよい。この場合、たとえば、ＶＡ方式を用いれば、表示パネル２０を挟み込むように配置された偏光板３０および５を、同じ偏光軸を有する偏光板により構成するとともに、表示パネル２０、偏光板３０および５の偏光軸に対応するように、画像表示装置により形成される画像に対応する光の偏光軸を設定すればよい。
【００７５】
また、上記実施形態では、偏光制御液晶パネル６０は、ＯＦＦ状態で、入射した光の偏光軸を変化させた状態で出射させるとともに、ＯＮ状態で、入射した光の偏光軸をほぼ変化させないで出射させるＴＮ方式を用いる例について示したが、本発明はこれに限らず、上記したＶＡ方式およびＥＣＢ方式などの他の方式を用いてもよい。
【００７６】
また、上記実施形態では、バックライト（光源）からの光が照射される液晶表示パネルからなる表示パネルを用いることにより観察者に立体画像を提供する例について説明したが、本発明はこれに限らず、有機ＥＬやＰＤＰ（プラズマディスプレイパネル）などの自発光タイプの表示パネルを有する画像表示装置や、他の平面ディスプレイにも適用可能である。
【００７７】
また、上記実施形態では、観察者側から順番に、偏光制御液晶パネル、位相差板、表示パネル、バックライトを配置する例を示したが、本発明はこれに限らず、観察者側から順番に、表示パネル、位相差板、偏光制御液晶パネル、バックライトを配置してもよい。
【００７８】
また、上記実施形態では、偏光板３０、４０、７０、位相差板５０の偏光制御領域５１ａ、５１ｂおよび偏光制御液晶パネル６０の偏光軸を、それぞれ、約１３５°、約４５°、約４５°、約７５°、約１５°、約１２０°に設定する例を示したが、本発明はこれに限らず、偏光板３０、４０、７０、位相差板５０の偏光制御領域５１ａ、５１ｂおよび偏光制御液晶パネル６０の偏光軸を上記の値以外の値に設定してもよい。この場合、偏光軸を最適化することにより、表示パネルを横向きに配置した場合に、位相差板５０の偏光制御領域５１ｂを出射して、偏光制御液晶パネル６０の偏光制御領域６１ａおよび偏光板７０を透過する光の量を低減するのが好ましい。これにより、観察者の左目に入射する右目用画像の光の量を低減するとともに、観察者の右目に入射する左目用画像の光の量を低減することが可能になる。
【００７９】
また、上記実施形態では、表示パネルを縦向きおよび横向きに配置して観察者に立体画像を提供する例を示したが、上記実施形態の構成では、表示パネルを縦向きに配置した場合には、観察者の左目に右目用画像が入射するのをより抑制することができるとともに、観察者の右目に左目用画像が入射するのをより抑制することができる一方、表示パネルを横向きに配置した場合には、右目用画像の一部が観察者の左目に入射するとともに、左目用画像の一部が観察者の右目に入射するので、表示パネルを縦向きに配置するのを標準状態にして観察者に立体画像を提供するのが望ましい。
【図面の簡単な説明】
【００８０】
【図１】本発明の一実施形態による画像表示装置の分解斜視図である。
【図２】図１に示した一実施形態による画像表示装置の表示パネルを観察者が観察した状態を側方から示した図である。
【図３】図１に示した一実施形態による画像表示装置の表示パネルを観察者が観察した状態を上方から示した図である。
【図４】図１に示した本発明の一実施形態による画像表示装置の縦向きに配置した表示パネルの部分拡大図である。
【図５】図１に示した本発明の一実施形態による画像表示装置の横向きに配置した表示パネルの部分拡大図である。
【図６】図１に示した本発明の一実施形態による画像表示装置の縦向き配置時の表示パネルと位相差板との位置関係を示した模式図である。
【図７】図１に示した本発明の一実施形態による画像表示装置の位相差板の部分拡大図である。
【図８】図１に示した本発明の一実施形態による画像表示装置の縦向き配置時の表示パネルと位相差板との位置関係を示した平面図である。
【図９】図１に示した本発明の一実施形態による画像表示装置の縦向きに配置した偏光制御液晶パネルの部分拡大図である。
【図１０】図１に示した本発明の一実施形態による画像表示装置の横向きに配置した偏光制御液晶パネルの部分拡大図である。
【図１１】図１に示した本発明の一実施形態による画像表示装置の横向き配置時の表示パネルと位相差板との位置関係を示した模式図である。
【図１２】図１に示した本発明の一実施形態による画像表示装置の横向き配置時の表示パネルと位相差板との位置関係を示した平面図である。
【図１３】図１に示した本発明の一実施形態による表示パネルの縦向き配置時における立体画像表示方法を説明するための図である。
【図１４】図１に示した本発明の一実施形態による表示パネルの横向き配置時における立体画像表示方法を説明するための図である。
【図１５】図１に示した一実施形態による画像表示装置の表示パネルを縦向きに配置した場合の平面画像表示時において観察者が表示パネルを観察した状態を上方から示した図である。
【図１６】図１に示した本発明の一実施形態による表示パネルの縦向きおよび横向き配置時における平面画像表示方法を説明するための図である。
【図１７】図１に示した一実施形態による画像表示装置の表示パネルを横向きに配置した場合の平面画像表示時において観察者が表示パネルを観察した状態を上方から示した図である。
【図１８】従来の一例による画像表示装置を観察者が見た状態を上方から示した図である。
【図１９】図１８に示した従来の一例による画像表示装置の表示パネルおよびバリアを示した平面図である。
【図２０】図１８に示した従来の一例による画像表示装置の表示パネル、バリアおよび観察者の位置関係を示した図である。
【符号の説明】
【００８１】
１  画像表示装置
１０  バックライト（光源）
２０  表示パネル
２０ａ  基準辺
２１ａ、２２ａ、２３ａ  画素開口部
２４  遮光部
５０  位相差板（分離手段）
５１ｂ  偏光制御領域（透過部）
６０  偏光制御液晶パネル（分離手段）
６１ｂ  偏光制御領域（透過部）
６１ｃ  電極（第１電極）
６１ｄ  電極（第２電極）
【図１】
2007108501.tif 000003
【図２】
2007108501.tif 000004
【図３】
2007108501.tif 000005
【図４】
2007108501.tif 000006
【図５】
2007108501.tif 000007
【図６】
2007108501.tif 000008
【図７】
2007108501.tif 000009
【図８】
2007108501.tif 000010
【図９】
2007108501.tif 000011
【図１０】
2007108501.tif 000012
【図１１】
2007108501.tif 000013
【図１２】
2007108501.tif 000014
【図１３】
2007108501.tif 000015
【図１４】
2007108501.tif 000016
【図１５】
2007108501.tif 000017
【図１６】
2007108501.tif 000018
【図１７】
2007108501.tif 000019
【図１８】
2007108501.tif 000020
【図１９】
2007108501.tif 000021
【図２０】
2007108501.tif 000022